(57)【特許請求の範囲】
【請求項１】
可撓性シート状の部位に略矩形状の開口部を有する開閉体本体と、上端側部分を前記開閉体本体に止着して垂れ下げられ前記開口部を覆い塞ぐ略矩形状の扉体と、を具備したシャッター装置用開閉体において、
前記扉体には、略水平方向へわたる補強部材が、上下方向に間隔を置いて複数固定され、
前記扉体の裏面には、少なくとも上下に隣り合う前記補強部材の間にわたるとともに前記開口部の左右の内縁をそれぞれ跨ぐようにして、可撓性の遮蔽シートが設けられ、
この遮蔽シートは、前記開口部の内側に対応する部分が前記左右の各内縁に沿って上下方向へわたり前記扉体の裏面に止着されるとともに、前記開口部の外側に対応する部分が前記各内縁に沿って上下方向へわたり前記開閉体本体に接触して重なり合うように設けられ、
前記扉体の中央側部分が熱風により開口部内側へ撓んだ際に、前記扉体の左右幅方向の端部側が、上下に隣り合う補強部材の間で前記開閉体本体の表面から離れるようにして変形部を形成し、前記遮蔽シートにおける前記開口部の外側に位置する面が前記開閉体本体の表面に重なり合って接触することで、前記扉体と前記開閉体本体との間に生じる前記変形部による隙間が前記開閉体本体を厚さ方向へ貫通するのを阻むようにしたことを特徴とするシャッター装置用開閉体。
【請求項２】
前記遮蔽シートは、前記補強部材と交差して上下方向へ連続する帯状に設けられていることを特徴とする請求項１記載のシャッター装置用開閉体。
【請求項３】
前記遮蔽シートは、前記補強部材と交差して上下方向へわたる帯状に設けられるとともに、前記開口部の外側であって且つ前記補強部材の位置に対応するように、切れ目を有することを特徴とする請求項１記載のシャッター装置用開閉体。
【請求項４】
前記扉体及び前記遮蔽シートを、前記開閉体の表側と裏側にそれぞれ設け、これら表裏側の遮蔽シートによって、前記開口部の内縁を挟むようにしたことを特徴とする請求項１乃至３何れか１項記載のシャッター装置用開閉体。
【請求項５】
前記遮蔽シートを第一の遮蔽シートとするとともに、前記開口部における下内縁を上下方向へ跨ぐように可撓性の第二の遮蔽シートを設け、
この第二の遮蔽シートの上辺部が前記扉体の裏面に止着され、同第二の遮蔽シートの下辺部が、前記開閉体本体と一体の座板部材に接触するようにしたことを特徴とする請求項１乃至４何れか１項記載のシャッター装置用開閉体。
【請求項６】
前記シャッター装置用開閉体をガイドレールに沿わせて開閉動作するようにしたことを特徴とする請求項１乃至５何れか１項記載のシャッター装置用開閉体を用いたシャッター装置。
【発明の詳細な説明】
【技術分野】
【０００１】
本発明は、オーバーヘッドドアを含むシャッター装置に用いられる開閉体および該開閉体を用いたシャッター装置に関し、特に防火防煙目的として利用するのに好適なシャッター装置用開閉体および該開閉体を用いたシャッター装置に関するものである。
【背景技術】
【０００２】
従来、この種の発明には、例えば特許文献１に記載されたもののように、可撓性シート状の部位に開口部（通過口１１ａ）を有する開閉体本体（１１）と、前記開口部を塞ぐようにして垂れ下げられた扉体（扉部材１２）とを具備したシャッター装置用の開閉体がある。
このような扉体を有する開閉体によれば、火災発生等の非常時には、前記扉体が避難者等によって捲り上げられ、前記開口部が通過可能に開放される。
【０００３】
ところで、前記従来技術のように扉体を有するシート状の開閉体では、火災時の熱風により扉体が押圧されると、例えば、図７に示すように、扉体１２０の幅方向の中央側部分が、開閉体本体１１０の開口部１１０ａ内へ入り込むようにして、扉体１２０が横断面略弓型に撓む。そのため、扉体１２０の幅方向の端部には皺や撓みによる変形部１２０ａが形成され、扉体１２０と開閉体本体１１０との間に隙間ｓが形成され、この隙間ｓによって扉体１２０の閉鎖性が低下し、例えば前記開口部１１０ａ及び前記隙間ｓに煙等を通過させてしまうおそれがある。
なお、図７に示す一例は、扉体１２０が略水平方向へわたる金属棒状の補強部材１２１を有する態様であり、この場合、上下に隣り合う補強部材１２１，１２１の間に前記変形部１２０ａが形成される場合が多い。また、図示を省略するが、前記補強部材１２０を具備しない扉体においても、風圧を受けると前記同様の変形部が形成され、この変形部によって隙間を生じるおそれがある。
【特許文献１】特開２００５−１３９７７５号公報
【発明の開示】
【発明が解決しようとする課題】
【０００４】
本発明は上記従来事情に鑑みてなされたものであり、その課題とする処は、扉体の閉鎖性を向上することができるシャッター装置用開閉体及び該開閉体を用いたシャッター装置を提供することにある。
【課題を解決するための手段】
【０００５】
上記課題を解決するための技術的手段は、可撓性シート状の部位に略矩形状の開口部を有する開閉体本体と、上端側部分を前記開閉体本体に止着して垂れ下げられ前記開口部を覆い塞ぐ略矩形状の扉体と、を具備したシャッター装置用開閉体において、前記扉体には、略水平方向へわたる補強部材が、上下方向に間隔を置いて複数固定され、前記扉体の裏面には、少なくとも上下に隣り合う前記補強部材の間にわたるとともに前記開口部の左右の内縁をそれぞれ跨ぐようにして、可撓性の遮蔽シートが設けられ、この遮蔽シートは、前記開口部の内側に対応する部分が前記左右の各内縁に沿って上下方向へわたり前記扉体の裏面に止着されるとともに、前記開口部の外側に対応する部分が前記各内縁に沿って上下方向へわたり前記開閉体本体に接触して重なり合うように設けられ、前記扉体の中央側部分が熱風により開口部内側へ撓んだ際に、前記扉体の左右幅方向の端部側が、上下に隣り合う補強部材の間で前記開閉体本体の表面から離れるようにして変形部を形成し、前記遮蔽シートにおける前記開口部の外側に位置する面が前記開閉体本体の表面に重なり合って接触することで、前記扉体と前記開閉体本体との間に生じる前記変形部による隙間が前記開閉体本体を厚さ方向へ貫通するのを阻むようにしたことを特徴とする。
【発明を実施するための最良の形態】
【０００６】
本発明を実施するための一形態では、可撓性シート状の部位に開口部を有する開閉体本体と、上端側部分を前記開閉体本体に止着して垂れ下げられ前記開口部を塞ぐ扉体と、を具備したシャッター装置用開閉体において、前記扉体の裏面には、前記開口部の内縁を跨ぐようにして、可撓性の遮蔽シートが設けられ、この遮蔽シートは、前記開口部の内側に対応する部分が前記内縁に沿う方向へわたって前記扉体の裏面に止着されるとともに、前記開口部の外側に対応する部分が前記内縁に沿う方向へわたって前記開閉体本体又は該開閉体本体と一体の部位に接触するように設けられていることを特徴とする。
この技術的手段によれば、扉体が風圧を受けて開口部の内側へ入り込むようにして変形した際、扉体の裏面に止着された遮蔽シートは、開口部の内縁を跨ぐとともに、開閉体本体（又は該開閉体本体と一体の部位）に接触する。したがって、この遮蔽シートによって、扉体の裏側に、開閉体を貫通する隙間が生じるのを阻むことができる。
更なる形態では、前記開閉体本体の開口部が上下方向へわたる内縁を有し、この内縁に沿って上下方向へわたるように前記遮蔽シートが配設されている。
【０００７】
更なる形態では、前記開口部が略矩形状に設けられるとともに、前記扉体が前記開口部を覆う略矩形状に設けられ、この開口部の左右の内縁にそれぞれ対応するようにして前記遮蔽シートが配設されている。
【０００８】
更なる形態では、前記扉体には、略水平方向へわたる補強部材が、上下方向に間隔を置いて複数固定され、前記遮蔽シートは、少なくとも上下に隣り合う前記補強部材の間にわたって設けられている。
【０００９】
更なる形態では、前記遮蔽シートは、前記内縁に沿う方向においてその内縁の略全長にわたるように設けられている。
【００１０】
更なる形態では、前記遮蔽シートは、前記内縁に沿う略長尺帯状に形成されている。
【００１１】
更なる形態のシャッター装置では、前記シャッター装置用開閉体をガイドレールに沿わせて開閉動作するようにした。
【００１２】
なお、前記シャッター装置には、開閉体を巻取軸に巻き取って収納するようにした態様や、開閉体を巻取軸に巻き取ることなくその開放方向側に収納するようにした態様（例えばオーバヘッドドア等）を含む。
【００１３】
また、本明細書中において「開閉体厚さ方向」とは、閉鎖状態の上記開閉体の厚さ方向を意味する。
また、本明細書中において「開閉体幅方向」とは、開閉体の開閉方向と略直交する方向であって、上記開閉体の厚さ方向ではない方向を意味する。
また、本明細書中において「開閉体開閉方向」とは、開閉体が空間を仕切ったり開放したりするためにスライドする方向を意味する。
【００１４】
上記形態は、以上説明したように構成されているので、以下に記載されるような作用効果を奏する。
扉体が風圧を受けて開口部内側へ撓み、該扉体の端部側に皺を生じたとしても、該扉体の裏面に止着された遮蔽シートが、開閉体本体における開口部の外側の部分に接触して、開閉体を内外へ貫通する隙間が形成されるのを防ぐ。よって、扉体の閉鎖性を向上することができる。
【００１５】
以下、上記形態の具体例を、図面に基づいて説明する。
本実施の形態の一例は、住宅やビル、倉庫、工場、地下街、トンネル、車両の荷台等の構築・構造物における開口部分や内部に配設され、前記開口部分を開閉したり、躯体内部の空間を仕切ったり開放したりする所謂シャッター装置であって、特に、火災などが発生した際に、火炎及び煙の拡散や蔓延を速やかに防止するのに好適な防火防煙シャッター装置、及び該シャッター装置に具備されるシャッター装置用開閉体について説明する。
【００１６】
シャッター装置Ａは、空間を上下に仕切ったり開放したりする開閉体１０と、該開閉体１０をその左右両側で開閉方向へ導くガイドレール２０と、該開閉体１０を繰り出したり収納したりする収納部３０とを備え（図１参照）、開閉体１０の下部側に設けられた扉体１２の閉鎖性を向上するように工夫されている。
【００１７】
開閉体１０は、下部側に通過物(具体的には人や物等)を通過可能な開口部１０ａを有する開閉体本体１１と、前記開口部１０ａを開閉可能に閉鎖する扉体１２と、開閉体本体１１の下端部に幅方向へわたって接続された座板部材１３とを一体的に具備している。
【００１８】
開閉体本体１１は、例えばシリカクロス等の耐火性及び可撓性を有する開閉体構成部材１１ａを、開閉体開閉方向に複数連設し、上下に隣り合う開閉体構成部材１１ａ間の端部同士を縫い繋げることで構成されている。
なお、開閉体本体１１の他例としては、複数開閉体構成部材１１ａを開閉体幅方向や斜め方向へ接続してなる態様や、一枚の開閉体構成部材１１ａから構成された態様等とすることも可能である。また、前記開閉体構成部材１１ａの材質の他例としては、ガラスクロスやシリカクロス等の難燃性布地や、フッ素加工を施した塩化ビニル樹脂シート材、ガラス繊維製のシート材等とすることも可能である。
【００１９】
前記開閉体本体１１の幅方向の両端部には、開閉体開閉方向へ間隔を置いて複数の抜止部材１１ｃが設けられる。この抜止部材１１ｃは、開閉体本体１１の面から開閉体厚さ方向へ突出してガイドレール２０内に係合することで、開閉体１０がガイドレール２０から抜けてしまうのを防ぐ。
また、開閉体本体１１の下端側には、人や物等の通過物を通過可能な略矩形切欠状の開口部１０ａが形成され、該開口部１０ａは、開閉可能な扉体１２によって閉鎖されている。
【００２０】
扉体１２は、開口部１０ａを挟むようにして、開閉体本体１１の表側と裏側にそれぞれ設けられる。各扉体１２の上端側部分は、開閉体本体１１における開口部１０ａの上側に縫い付ける等して止着される。この扉体１２の下部側は、垂れ下げられて、開口部１０ａを覆うようにして塞ぐ。
【００２１】
各扉体１２は、開閉体本体１１と同様に可撓性シート材を複数接続することで、開口部１０ａを塞ぐ略矩形状に形成されている。
各扉体１２の表面側には、開閉体幅方向へわたる補強部材１２ａが止着される。この補強部材１２ａは、耐火性を有する金属製の棒状部材であり、扉体１２に対し、開閉体開閉方向に間隔置いて複数（図１によれば三つ）配設される。この補強部材１２ａは、扉体１２の撓みを抑制するとともに錘体として作用することにより、扉体１２の閉鎖性を良好にしている。
【００２２】
前記補強部材１２ａを扉体１２に対し止着する手段は、例えば、扉体１２に対し略帯状のシートを縫い付け、該帯状シートと扉体１２との間に補強部材１２ａを介在させたり、扉体１２の下端側を袋状に折畳んで止着し、その袋状部分に補強部材１２ａを介在させたり等すればよいが、他例としては、補強部材１２ａを扉体１２に直接縫い付けたり接着したりしてもよい。
【００２３】
また、扉体１２の裏面には、開閉体１０の左右の内縁１０ａ１，１０ａ１にそれぞれ対応して、可撓性の遮蔽シート１２ｂが設けられる。
【００２４】
各遮蔽シート１２ｂは、前記内縁１０ａ１に沿うとともに扉体１２の上下方向の略全長にわたる略長尺矩形帯状に形成され、前記開口部１０ａにおける上下方向へわたる各内縁１０ａ１に沿うとともに、同内縁１０ａ１を略水平方向へ跨ぐようにして配置される。
【００２５】
そして、この遮蔽シート１２ｂは、開口部１０ａの内側（図１の一例によれば左右の内縁１０ａ１，１０ａ１の間）に対応して位置する一辺側部分１２ｂ１を、扉体１２の裏面に止着するとともに、前記開口部１０ａの外側に対応して位置する他辺側部分１２ｂ２を、開閉体本体１１に接触させる（図１及び図２参照）。
換言すれば、遮蔽シート１２ｂにおける開口部１０ａの内側に対応する部分が前記内縁１０ａ１に沿う方向へわたって扉体１２の裏面に止着されるとともに、同遮蔽シート１２ｂにおける開口部１０ａの外側に対応する部分が前記開口部１０ａに沿う方向へわたって開閉体本体１１に接触している。
【００２６】
遮蔽シート１２ｂを扉体１２裏面に止着する手段は、例えば、耐火性を有する糸による縫い付けとすればよいが、他例としては、ステンレス製のステープラ用つづり針や、ステンレス製のワイヤーロープによって、遮蔽シート１２ｂを扉体１２の裏面に止着するようにしてもよい。また、更に他例としては、遮蔽シート１２ｂを、耐火性を有する接着剤によって扉体１２の裏面に接着することも可能である。
【００２７】
扉体１２に対する遮蔽シート１２ｂの水平方向の止着位置１２ｂ３、開閉体本体１１に対する遮蔽シート１２ｂの重ね合わせ量ｘ、遮蔽シート１２ｂの幅寸法Ｘなどは、扉体１２が開口部１０ａ内側へ撓んだ際に、遮蔽シート１２ｂの前記他辺側部分１２ｂ２が開閉体本体１１表面に密接するように、適宜に設定されている。
【００２８】
また、座板部材１３は、金属製の錘部材を複数組み合わせてなり、開閉体１０における幅方向の略全長にわたって、開閉体本体１１の閉鎖方向端部に接続され、開閉体１０による閉鎖性を良好にするとともに、その自重により開閉体本体１１を下方へ引っ張って、開閉体本体１１に生じようとする撓みや皺等を抑制する。
【００２９】
また、ガイドレール２０は、開閉体１０の開閉体幅方向の端部を囲む断面略コ字状の部材であり、開閉体開閉方向へわたって長尺状に設けられている。
【００３０】
また、収納部３０は、収納ケース３２内で巻取軸３１を回動させるように構成される。この収納部３０は、前記巻取軸３１により開閉体１０を巻き取ったり巻き戻したりすることで、収納ケース３２内へ開閉体１０を収納したり、収納ケース３２外へ開閉体１０を繰り出したりする。
【００３１】
なお、この収納部３０内の機構は、モータ等の電動駆動源により巻取り軸３１を回動させる機構や、スプリング等の付勢部材の付勢力により巻取り軸３１を回動させる機構、錘体や開閉体１０の自重により巻取り軸３１を回動させる機構、あるいはこれらの機構を組み合わせてなる機構等、何れの態様であってもよいが、災害等による停電の際でも、開閉体１０を閉鎖できるように、少なくとも開閉体１０を繰り出す際の動作が電動でない機構（例えば前記した付勢部材や、錘体、開閉体１０の自重を利用して閉鎖動作する機構）を備えるのが好ましい。
また、収納部３０の他例としては、収納ケース３２を具備せずに、巻取軸３１を露出した構成であってもよい。
【００３２】
次に、上述した実施の形態について、その特徴的な作用効果を説明する。
火災時の熱風等により、図３及び図４に例示するように、扉体１２の中央側部分が開口部１０ａ内へ入り込むようにして断面略弓状に撓むと、扉体１２の幅方向の端部側において、特に上下に隣り合う補強部材１２ａ，１２ａの間に対応する部分に、開閉体本体１１の表面から離れるようにして断面略山型の皺や撓み等による変形部１２ｃが形成される。
なお、図３及び図４は、本実施の形態による作用効果が理解し易いように、扉体１２の変形箇所（例えば前記変形部１２ｃ等）を、極端に湾曲させて図示している。
【００３３】
この際、遮蔽シート１２ｂは、扉体１２裏面に対する止着位置１２ｂ３が、開閉体本体１１に対し、面一近くに位置するとともに、開口部１０ａ外に位置する上記他辺側部分１２ｂ２が、開閉体本体１１の表面に接触する（図４参照）。
したがって、前記変形部１２ｃにより、扉体１２と開閉体本体１１との間に隙間ｓが生じたとしても、その隙間ｓが開閉体１０を厚さ方向へ貫通するのを、遮蔽シート１２ｂによって阻むことになる。
よって、火災時の煙や炎等が、扉体１２と開閉体本体１１との隙間を通過するようなことを防ぐことができる。
【００３４】
なお、上記実施の形態によれば、開口部１０ａにおける左右の内縁１０ａ１，１０ａ１にそれぞれ対応して遮蔽シート１２ｂを設けたが、他例としては、図５に示すように、開口部１０ａにおける下の内縁１０ａ１’（図示例によれば座板部材１３の上端部）に対応して、遮蔽シート１２ｂ’を設けるようにしてもよい。
すなわち、図５に示すように、遮蔽シート１２ｂ’は、開口部１０ａにおける下内縁１０ａ１’に沿う略長尺矩形帯状であって、前記下内縁１０ａ１’を上下方向へ跨ぐようにして配置される。
そして、この遮蔽シート１２ｂ’の上辺部は、扉体１２の裏面に止着され、同遮蔽シート１２ｂ’の下辺部は、開閉体本体１１と一体の座板部材１３の正面又は裏面における上部側に接触する。
【００３５】
よって、図５に示す態様においても、扉体１２が風圧によって開口部１０ａ内へ入り込んだ際や、内外圧の影響により扉体１２下端側が開閉体本体１１から若干離れようとした場合等に、遮蔽シート１２ｂ’の下端側と座板部材１３との接触が維持されて、扉体１２の裏側に空気を開閉体内外へ流通させる隙間が形成されるのを防ぐことができる。
【００３６】
なお、図５に示す態様は、扉体１２に対し左右の遮蔽シート１２ｂ，１２ｂと下端側の遮蔽シート１２ｂ’とを設けた態様としてもよいし、扉体１２に対し下端側の遮蔽シート１２ｂ’のみを設けた態様としてもよい。
【００３７】
また、遮蔽シート１２ｂ（及び／又は１２ｂ’）は、開閉体１０の表裏の扉体１２，１２に対し、その双方に設ける方が効果的であるが、一方のみに設けるようにすることも可能である。この場合、一方のみに設けられる遮蔽シート１２ｂ（及び／又は１２ｂ’）は、開閉体１０の表裏側の内、火災の想定される場所に対向する面側に配設するのが好ましい。
また、遮蔽シート１２ｂ（及び／又は１２ｂ’）は、図示例によれば一箇所に対し一つ設けるようにしているが、他例としては、一箇所に対し複数重ね合わせて用いるようにしてもよい。この構成において、重ね合わせられた複数の遮蔽シート１２ｂ（及び／又は１２ｂ’）は、開閉体本体１１に対する重ね合わせ量ｘや幅寸法Ｘが、互いに異なっていてもよいし同じであってもよい。
【００３８】
また、上記実施の形態によれば、扉体１２に対し上下方向の略全長に遮蔽シート１２ｂを設けるようにしたが、他例としては、扉体１２の上下方向において部分的に遮蔽シート１２ｂを設けることも可能であり、この場合には、上下に隣り合う補強部材１２ａ，１２ａ間に遮蔽シート１２ｂを配置するのが効果的である。
【００３９】
また、上記実施の形態よれば、補強部材１２ａを具備した扉体１２に対し遮蔽シート１２ｂ（及び／又は１２ｂ’）を設けた構成としているが、補強部材１２ａを具備しない扉体１２に対し遮蔽シート１２ｂ（及び／又は１２ｂ’）を、上記同様にして設けるようにしてもよい。この場合も、扉体１２の周囲側に皺や撓みによる変形部が発生した場合に、その変形部により空気を開閉体内外へ流通させる隙間が生じるのを、遮蔽シート１２ｂ（及び／又は１２ｂ’）によって防ぐことができる。
【００４０】
また、上記実施の形態によれば、開口部１０ａと扉体１２を正面視略矩形状に形成したが、開口部１０ａを扉体１２によって閉鎖可能であれば、その一方又は双方を矩形状以外の形状（例えば、三角形状やその他の多角形形状、円形状、楕円形状、左右非対称の形状等）とすることも可能である。
【００４１】
また、上記実施の形態によれば、扉体１２の上端部のみを開閉体本体１１に止着したが、他例としては、扉体１２の上端部と左右の何れかの端部とを開閉体本体１１に止着し、その止着側の遮蔽シート１２ｂを省くようにしてもよい。
【００４２】
また、上記実施の形態によれば遮蔽シート１２ｂ（及び／又は遮蔽シート１２ｂ’）を切れ目等のない矩形シート状に形成したが、他例としては、図６に示すように、遮蔽シート１２ｂ（及び／又は遮蔽シート１２ｂ’）に置換して、遮蔽シート１２ｄを用いるようにしてもよい。
遮蔽シート１２ｄは、上記遮蔽シート１２ｂに対し、前記開口部１０ａの外側に対応して位置する他辺側部分１２ｂ２に、切れ目１２ｄ１を形成してなるものである。
切れ目１２ｄ１は、図示例によれば、補強部材１２ａの位置に対応して設けられ、該切れ目１２ｄ１の深さ寸法ｗは、扉体１２が開閉体本体１１に接触した際の閉鎖性（気密性等を含む）を損ねないように適宜に設定される。
前記構成によれば、前記切れ目１２ｄ１を境にした各部分が撓む際、同切れ目１２ｄ１を境にした他の部分の影響を受けにくいため、前記各部分における閉鎖性を良好にすることができる。
【００４３】
また、上記実施の形態によれば、開閉体本体１１の略全域を可撓性シートによって構成したが、他例としては、開閉体本体１１の一部を可撓性シートによって構成し、他の部分を剛性を有する部材（例えば、スラットや、パネル、パイプ材等）によって構成することも可能である。
【００４４】
また、本実施の形態のシャッター装置Ａに用いた開閉体１０、開閉体本体１１、又は開閉体構成部材１１ａは、例えば、オーバーヘッドドアや、ロールスクリーン装置、オーニング装置、移動間仕切り装置（スライディングウォール装置）等に用いることも可能である。
【００４５】
また、本実施の形態のシャッター装置Ａは、防火防煙以外の目的で利用することも可能であり、例えば、冷気等の流通を防止し、保温性の低下を極力抑える目的等のために、保冷庫などに配設されるシャッター装置としても利用可能である。
【図面の簡単な説明】
【００４６】
【図１】本発明に係わるシャッター装置用開閉体を用いたシャッター装置の一例を示す正面図であり、要部を切欠して示している。
【図２】同シャッター装置における扉部材の一例を示す背面図である。
【図３】同シャッター装置において扉部材が風圧を受けた状態を示す斜視図である。
【図４】図３における（ＩＶ）−（ＩＶ）線切断端面図である。
【図５】本発明に係わるシャッター装置用開閉体の他例を具備したシャッター装置を示す要部縦断面図である。
【図６】扉部材の他例を示す背面図である。
【図７】従来のシャッター装置用開閉体において扉部材が風圧を受けた状態を示す要部斜視図である。
【符号の説明】
【００４７】
１０：開閉体                          １０ａ：開口部
１０ａ１，１０ａ１’：内縁            １１：開閉体本体
１２：扉体                            １２ａ：補強部材
１２ｂ，１２ｂ’：遮蔽シート          ２０：ガイドレール
３０：収納部                          Ａ：シャッター装置
【図１】
0005175532.tif 000002
【図２】
0005175532.tif 000003
【図３】
0005175532.tif 000004
【図４】
0005175532.tif 000005
【図５】
0005175532.tif 000006
【図６】
0005175532.tif 000007
【図７】
0005175532.tif 000008